【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
展性を有する折り曲げ可能な材料で構成され、第１端部およびこれと反対側の第２端部を有するシートであって、前記第１端部が柱の下部を形成し、前記反対側の第２端部が前記柱の上部を形成しており、前記シートは、前記シートの前記第１端部と前記第２端部との間を実質的に延びる第１側部およびこれと反対側の第２側部を有しており、前記シートが、前記第１側部の少なくとも一部が前記第２側部の一部に重なって、重ね合わせ部分を提供する折曲げボックス断面構造として形成されるところのシートを備える、ラック用の柱。
【請求項２】
前記シートが、ハードプレスツールを使用して、折曲げボックス断面構造に折り曲げられる、請求項１に記載の柱。
【請求項３】
前記シートが、前記シートの下部と前記シートの上部との間を延びる第１の一連の複数の穴を備えるように、予備形成される、請求項１または２に記載の柱。
【請求項４】
前記シートが、前記シートの下部と前記シートの上部との間を延びる第２の一連の複数の穴を備えるように、予備形成される、請求項２に記載の柱。
【請求項５】
前記第１および第２の一連の複数の穴が、前記シート上に配置されて、前記シートを折曲げボックス断面構造に形成する際に、前記第１および第２の一連の複数の穴が、前記シートの前記重ね合わせ部分上に設けられ、位置合わせされる、請求項４に記載の柱。
【請求項６】
前記シートの前記第１端部および前記第２端部を、前記折曲げボックス断面構造において、頂部パネルまたは基部パネルに対して精密に配置するための手段をさらに含む、請求項１から５のいずれか１つに記載の柱。
【請求項７】
折曲げボックス断面構造において、前記シートの前記第１端部および前記第２端部を精密に配置するための前記手段は、前記シートの前記第１端部から所定距離だけ延びる少なくとも１つのタブと、前記シートの前記第２端部から延びる少なくとも１つのタブとを含む、請求項６に記載の柱。
【請求項８】
欧州電気通信標準化機構ラックを形成する際に使用するための形状および寸法設定された、請求項１から７のいずれか１つに記載の柱。
【請求項９】
前記シートが、前記シートに形成された一連の複数のノッチをさらに含んでおり、前記一連の複数のノッチが、前記シートの前記第１側部と前記第２側部との間を実質的に延びており、折曲げボックス断面構造を形成する際に利用される複数の折り曲げ部のうちの少なくとも１つが、前記一連の複数のノッチ上にある、請求項１から８のいずれか１つに記載の柱。
【請求項１０】
折曲げボックス断面構造を形成する際に利用される前記一連の複数のノッチ上の折り曲げ部が、最後の折り曲げ部である、請求項９に記載の柱。
【請求項１１】
パネルと、
前記パネルに連結された少なくとも１つの柱であって、前記柱は、展性を有する折り曲げ可能な材料のシートから構成されており、前記シートが、第１端部および反対側の第２端部を有しており、前記第１端部が前記柱の下部を形成し、前記反対側の第２端部が前記柱の上部を形成しており、前記シートは、前記シートの前記第１端部と前記第２端部との間を実質的に延びる第１側部およびこれと反対側の第２側部を有しており、前記シートが、前記柱に折曲げボックス断面構造を与えるように形成されているところの柱と
を備えるラック。
【請求項１２】
前記柱を形成するシートが、ハードプレスツールを使用して折曲げボックス断面構造に折り曲げられる、請求項１１に記載のラック。
【請求項１３】
前記柱を形成するシートが、前記シートの下部と前記シートの上部との間を延びる第１の一連の複数の穴を備えるように、予備形成される、請求項１１または１２に記載のラック。
【請求項１４】
前記柱を形成するシートが、前記シートの下部と前記シートの上部との間を延びる第２の一連の複数の穴を備えるように、予備形成される、請求項１３に記載のラック。
【請求項１５】
前記第１および第２の一連の複数の穴が、前記シート上に配置されて、前記シートを折曲げボックス断面構造に形成する際に、前記第１および第２の一連の複数の穴が、前記シートの前記重ね合わせ部分上に設けられ、位置合わせされる、請求項１４に記載のラック。
【請求項１６】
前記柱の上部および下部を、前記折曲げボックス断面構造において、頂部パネルまたは基部パネルに対して精密に配置するための手段をさらに含む、請求項１１から１５のいずれか１つに記載のラック。
【請求項１７】
折曲げボックス断面構造において、前記柱の上部および下部を精密に配置するための前記手段は、前記柱の上部から延びる少なくとも１つのタブと、前記柱の下部から延びる少なくとも１つのタブとを含む、、請求項１６に記載のラック。
【請求項１８】
前記柱が、欧州電気通信標準化機構ラックを形成する際に使用するために形状および寸法設定されている、請求項１１から１７のいずれか１つに記載のラック。
【請求項１９】
前記柱を形成するシートが、前記シートに形成された一連の複数のノッチをさらに含んでおり、前記一連の複数のノッチが、前記シートの前記第１側部と前記第２側部との間を実質的に延びており、折曲げボックス断面構造を形成する際に利用される複数の折り曲げ部のうちの少なくとも１つが、前記一連の複数のノッチ上にある、請求項１１から１８のいずれか１つに記載のラック。
【請求項２０】
折曲げボックス断面構造を形成する際に利用される前記一連の複数のノッチ上の折り曲げ部が、最後の折り曲げ部である、請求項１９に記載のラック。
【請求項２１】
電子機器を保持するラックであって、添付図面のうちの図１および図２を参照して記載したものと実質的に同一のラック。
【請求項２２】
電子機器ラック用の柱であって、添付図面のうちの図３または図４から図１０を参照して記載したものと実質的に同一の柱。
【請求項２３】
展性を有する折り曲げ可能な材料で構成され、第１端部およびこれと反対側の第２端部を有するシートであって、前記第１端部が柱の下部を形成し、前記反対側の第２端部が前記柱の上部を形成しており、前記シートは、前記シートの前記第１端部と前記第２端部との間を実質的に延びる第１側部およびこれと反対側の第２側部を有しており、前記シートが、前記第１側部の少なくとも一部が前記第２側部の一部に重なって、重ね合わせ部分を提供する折曲げボックス断面構造として形成されるところのシートを備える、ラック用の柱であって、前記重ね合わせ部分は、前記折曲げボックス断面構造の周囲の少なくとも一部を形成しており、
前記シートが、前記シートの下部と前記シートの上部との間を延びる第１の一連の複数の穴、および、前記シートの下部と前記シートの上部との間を延びる第２の一連の複数の穴を備えるように、予備形成され、そして、
前記第１および第２の一連の複数の穴が、前記シート上に配置されて、前記シートを折曲げボックス断面構造に形成する際に、前記第１および第２の一連の複数の穴が、前記シートの前記重ね合わせ部分上に設けられ、位置合わせされるところの、
ラック用の柱。
【請求項２４】
パネルと、
前記パネルに連結された少なくとも１つの柱であって、前記柱は、展性を有する折り曲げ可能な材料のシートから構成されており、前記シートが、第１端部および反対側の第２端部を有しており、前記第１端部が前記柱の下部を形成し、前記反対側の第２端部が前記柱の上部を形成しており、前記シートは、前記シートの前記第１端部と前記第２端部との間を実質的に延びる第１側部およびこれと反対側の第２側部を有しており、前記シートが、前記柱に折曲げボックス断面構造を与えるように形成されているところの柱と
を備えるラックであって、
前記第１側部の少なくとも一部が前記第２側部の一部に重なって、前記折曲げボックス断面構造の周囲の少なくとも一部を形成する重ね合わせ部分を提供しており、前記柱を形成するシートが、前記シートの下部と前記シートの上部との間を延びる第１の一連の複数の穴、および、前記シートの下部と前記シートの上部との間を延びる第２の一連の複数の穴を備えるように、予備形成され、そして、前記第１および第２の一連の複数の穴が、前記シート上に配置されて、前記シートを折曲げボックス断面構造に形成する際に、前記第１および第２の一連の複数の穴が、前記シートの前記重ね合わせ部分上に設けられ、位置合わせされるラック。